(57)【要約】【課題】  係合状態がしっかりと維持されて、容易に係合が外れたり変形することがなく、合成樹脂シートから作られた製品が壊れたり、落下したりせず、掲示物の掲示が容易に行える合成樹脂シートの係合機構を提供する。【解決手段】  第１の係合部の第１、第２の係合切込み部は、それぞれの端部を連結する直線状の第１、第２の仮想線２５ｃ、２６ｃおよび第１、第２の仮想線から外向きに突出した第１、第２の凸状切込み２５ａ、２６ａからなり、第２の仮想線は第１の仮想線上に位置しており、第１、第２の凸状切込みは第１、第２の仮想線に関して互いに逆の方向を向き、第２の凸状切込みは第１の凸状切込みよりも小さく、第２の係合部は、第１の４仮想線に平行する切込み２７からなり、第１の係合切込み部が通過できる長さを有する。【選択図】    図３
0003148037.tif 000002
【実用新案登録請求の範囲】
【請求項１】
合成樹脂シートに形成された第１の係合部、および合成樹脂シートに形成され且つ該第１の係合部と係合する第２の係合部からなる係合機構において、
前記第１の係合部は、第１の係合切込み部および第２の係合切込み部からなり、
該第１の係合切込み部は、その端部を連結する直線状の第１の仮想線および該第１の仮想線の端部に連結し前記第１の仮想線から外向きに突出した第１の凸状切込みからなり、
前記第２の係合切込み部は、その端部を連結する直線状の第２の仮想線および該第２の仮想線の端部に連結し前記第２の仮想線から外向きに突出した第２の凸状切込みからなり、
前記直線状の第２の仮想線は前記直線状の第１の仮想線上に位置しており、前記第１の凸状切込みと第２の凸状切込みとは第１および第２の仮想線に関して互いに逆の方向を向いており、該第２の凸状切込みは該第１の凸状切込みよりも小さく、
前記第２の係合部は、前記第１の仮想線に平行する切込みからなるとともに、前記第１の係合切込み部が通過できる長さを有していることを特徴とする合成樹脂シートの係合機構。
【請求項２】
前記第１の係合切込み部は、前記第１の仮想線および前記第１の凸状切込み全体として多角形形状をしていることを特徴とする請求項１に記載の合成樹脂シートの係合機構。
【請求項３】
前記第１の係合切込み部は、前記第１の仮想線および前記第１の凸状切込み全体として半円状形状をしていることを特徴とする請求項１に記載の合成樹脂シートの係合機構。
【請求項４】
前記第２の係合切込み部は、前記第２の仮想線および前記第２の凸状切込み全体として多角形形状をしていることを特徴とする請求項１〜３の何れか１項に記載の合成樹脂シートの係合機構。
【請求項５】
前記第２の係合切込み部は、前記第２の仮想線および前記第２の凸状切込み全体として半円状形状をしていることを特徴とする請求項１〜３の何れか１項に記載の合成樹脂シートの係合機構。
【請求項６】
前記第１の係合部および前記第２の係合部が、それぞれ別体の合成樹脂シートに形成されていることを特徴とする請求項１〜５の何れか１項に記載の合成樹脂シートの係合機構。
【請求項７】
前記第１の係合部および前記第２の係合部が同じ合成樹脂シートに形成されていることを特徴とする請求項１〜５の何れか１項に記載の合成樹脂シートの係合機構。
【考案の詳細な説明】
【技術分野】
【０００１】
本考案は、合成樹脂シートの係合機構に関する。より詳しくは、本考案は、合成樹脂シートから作られた製品、例えば、写真立て、広告掲示装置などの組立てに際して合成樹脂シートをしっかりと係合させたり、商品見本、カレンダー、写真、絵画などの掲示物を掲示する際に掲示物を掲示物支持体にしっかりと係合させたりする合成樹脂シートの係合機構に関する。
【背景技術】
【０００２】
特許文献１（特開２００６−３４１０公報）は、印刷した型どおりに型抜きを行なって展開シートを得るときに折筋を同時に設けるようにして製造の簡素化を図り、型抜きされた展開シートを折筋に沿って折り曲げることでプリント写真収納袋としたり、切込みに差込み部を挿入して写真立てとしたりすることができるプリント写真収納袋にし、さらに、折筋に沿って逆方向に折り曲げることで封書にすることができるようにもして、このプリント写真収納袋の多機能化を図り、多機能であり、かつ低廉であるプリント写真収納袋を提供することを目的としている。
【０００３】
また、特許文献２（特開２００５−２９７３９６号公報）には、カレンダーを掲示するための装置であって、シート状素材に切込部等を設け、この切込部に表示部を差し込んで固定する構造とし、表示部および支持部のすべてを紙材等のシート状素材で形成するものが開示されている。
【０００４】
さらに、特許文献３（特開２００５−３１６２０号公報）には、長手方向のスリットを具備した円筒形状の広告基体を吊環の上部位置で把持具に固定装着し、表面に広告画像が描かれたシート状の広告媒体を広告基体に巻付け、広告媒体の両端部を広告基体のスリットに挿入して固定した公共車両の吊革などにおける広告システムが開示されている。
【特許文献１】特開２００６−３４１０公報
【特許文献２】特開２００５−２９７３９６号公報
【特許文献３】特開２００５−３１６２０号公報
【考案の開示】
【考案が解決しようとする課題】
【０００５】
特許文献１に開示されたプリント写真収納袋は型抜きされた展開シートを折筋に沿って折り曲げることでプリント写真収納袋としたり、切込みに差込み部を挿入して写真立てとしたりすることができる。しかし、切込みに差込み部を挿入して、写真立てに組立てるため、差込み部が切込みから抜けることにより、写真立てが変形して、飾っていた写真が落下したりする。
【０００６】
特許文献２においても同様に切込みに差込み部を挿入しているだけであるので、差込み部が切込みから抜けることがある。
【０００７】
特許文献３においても同様に広告媒体の両端部を広告基体のスリットに挿入しているだけであるので、広告媒体の両端部がスリットから抜けて、広告媒体が外れることがある。
【０００８】
本考案は、上述した従来技術に付随する問題点を解消して、合成樹脂シートの係合状態がしっかりと維持されて、その係合が容易に外れたりせず、変形することがなく、合成樹脂シートから作られた製品が壊れたり、落下したりすることがなく、また、掲示物の掲示が容易に行え、しかも掲示物が落下したりすることがない合成樹脂シートの係合機構を提供することを目的とする。
【課題を解決するための手段】
【０００９】
本考案においては、上記目的を、合成樹脂シートに形成された第１の係合部、および合成樹脂シートに形成され且つ該第１の係合部と係合する第２の係合部からなる係合機構において、
前記第１の係合部は、第１の係合切込み部および第２の係合切込み部からなり、
該第１の係合切込み部は、その端部を連結する直線状の第１の仮想線および該第１の仮想線の端部を連結し前記第１の仮想線から外向きに突出した第１の凸状切込みからなり、
前記第２の係合切込み部は、その端部を連結する直線状の第２の仮想線および該第２の仮想線の端部を連結し前記第２の仮想線から外向きに突出した第２の凸状切込みからなり、
前記直線状の第２の仮想線は前記直線状の第１の仮想線上に位置しており、前記第１の凸状切込みと第２の凸状切込みとは第１および第２の仮想線に関して互いに逆の方向を向いており、該第２の凸状切込みは該第１の凸状切込みよりも小さく、
前記第２の係合部は、前記第１の仮想線に平行する切込みからなるとともに、前記第１の係合切込み部が通過できる長さを有していることを特徴とする合成樹脂シートの係合機構により達成する。
【００１０】
なお、本考案に用いる合成樹脂シートはポリエチレン、ポリプロピレン、ポリ塩化ビニルなどとすることができ、厚みは１５０μ〜８００μであり、好ましくは、１５０μ〜５００μである。
【００１１】
また、本考案の罫線とは、シートの厚さ方向に所定深さの切込みを入れ、または罫線の長さ方向に断続した切れ目を入れた所謂ミシン目やマイクロミシン目などを言う。その罫線に沿ってシートを切離すことができるものを「切離し用罫線」と称し、その罫線に沿ってシートを折曲げることができるものを「折曲げ用罫線」と称している。
【００１２】
さらに、本考案の仮想線の位置には折曲げ用罫線を形成してもよい。このように、仮想線の位置に折曲げ用罫線を形成しておくと、第１および第２の凸状切込みの第２の係合部への挿入が一層容易に行える。
【００１３】
なお、本考案では、「第２の仮想線が第１の仮想線上に位置」するとは、両仮想線が精密に合致している場合だけではなく、両仮想線が多少ずれているものも含む。
【００１４】
本考案の第１の係合切込み部は、第１の仮想線および第１の凸状切込み全体として、三角形、四角形または五角形などの多角形形状をしていてもよい。同様に、本考案の第２の係合切込み部は、第２の仮想線および第２の凸状切込み全体として、三角形、四角形または五角形などの多角形形状をしていてもよい。
【００１５】
また、本考案の第１の係合切込み部は、第１の仮想線および第１の凸状切込み全体として、半円状形状をしていてもよい。同様に、本考案の第２の係合切込み部は、第２の仮想線および第２の凸状切込み全体として、半円状形状をしていてもよい。
【００１６】
ここに、本考案の第１および第２の係合切込みにおける半円状切込みは円の２分の１程度の円弧でもよいし、楕円の一部分でもよいし、それらの中間程度でもよい。
【００１７】
本考案の第１の係合部および前記第２の係合部は、それぞれ別体の合成樹脂シートに形成されていてもよい。または、本考案の第１の係合部および前記第２の係合部は、同じ合成樹脂シートに形成されていてもよく、この場合には、合成樹脂シートを円筒状に丸め、または多角柱状に折曲げて、第１の係合部および前記第２の係合部を係合させるようにする。
【考案の効果】
【００１８】
本考案の合成樹脂シートに形成された第１の係合部、および合成樹脂シートに形成され且つ該第１の係合部と係合する第２の係合部からなる係合機構においては、第１の係合部は、第１の係合切込み部および第２の係合切込み部からなり、第１の係合切込み部は第１の凸状切込みからなり、第２の係合切込み部は第２の凸状切込みからなり、第１の凸状切込みと第２の凸状切込みとは互いに逆の方向を向いており、第２の係合部は第１の係合切込み部が通過できる長さを有しているので、第１の係合部の第１の凸状切込みおよび第２の凸状切込みを容易に第２の係合部を越えて突出させることができる。しかも、このように突出させることにより、第１の係合部と第２の係合部恰とは恰もリベット締めした状態となるので、第１の係合部および第２の係合部がしっかりと係合し、簡単に外れることがない。
【００１９】
本考案の第１の係合切込み部は、第１の仮想線および第１の凸状切込み全体として、三角形、四角形または五角形などの多角形形状をしていてもよい。同様に、本考案の第２の係合切込み部は、第２の仮想線および第２の凸状切込み全体として、三角形、四角形または五角形などの多角形形状をしていてもよい。このような形状とすることにより、第１の係合部の第１の凸状切込みおよび第２の凸状切込みを第２の係合部を越えて突出させることが一層容易に行える。特に、多角形形状の角部、就中、多角形形状の先端に位置する角部に所謂Ｒを付けて丸味を持たせることにより、第１の係合部の第１の凸状切込みおよび第２の凸状切込みの第２の係合部への挿入を更に一層容易に行える。
【００２０】
また、本考案の第１の係合切込み部は、第１の仮想線および第１の凸状切込み全体として、半円状形状をしていてもよい。同様に、本考案の第２の係合切込み部は、第２の仮想線および第２の凸状切込み全体として、半円状形状をしていてもよい。このような形状とすることにより、第１の係合部の第１の凸状切込みおよび第２の凸状切込みを容易に第２の係合部を越えて突出させることが行える。
【００２１】
ここに、本考案の第１および第２の係合切込みにおける半円状切込みは円の２分の１程度の円弧でもよいし、楕円の一部分でもよいし、それらの中間程度でもよい。
【考案を実施するための最良の形態】
【００２２】
以下、添付図面を参照して本考案を詳細に説明する。図１〜図３は本考案に係る合成樹脂シートの係合機構の第１実施例を具備したプリント写真収納袋を示し、図１はプリント写真収納袋を示し、（ａ）はプリント写真収納袋の表面を示し、（ｂ）はプリント写真収納袋の裏面を示す。図２は図１に示すプリント写真収納袋を写真立てに組立てた状態を示し、（ａ）は平面図を示し、（ｂ）は正面図を示す。図３は本考案に係る係合機構の近傍のみを示し、（ａ）、（ｂ）、（ｄ）、（ｆ）は係合手順を時系列的に示す平面図であり、（ｃ）、（ｅ）、（ｇ）はそれぞれ（ｂ）、（ｄ）、（ｆ）を水平方向に切断し上から見た断面図であり、シートの厚さは誇張して示している。
【００２３】
図１は本考案に係る合成樹脂シートの係合機構の第１実施例を具備したプリント写真収納袋を示し、図１においてプリント写真収納袋はポリエチレン、ポリプロピレン、ポリ塩化ビニルなどの合成樹脂シート製であり、厚みが１５０μ〜８００μであり、好ましくは、１５０μ〜５００μである。
【００２４】
このような合成樹脂シートからなる１枚のシートを罫線１２に沿って２つに折曲げて（ａ）に示す表面用シート１０ａおよび（ｂ）に示す裏面用シート１０ｂとしている。
【００２５】
なお、罫線１２は、罫線１２に沿ってシートを折曲げ可能であるとともに、罫線１２に沿ってシートを表面用シート１０ａおよび裏面用シート１０ｂに切離すことが可能となっている。
【００２６】
罫線１２に沿って切離す代わりに、罫線１２に平行し、その上側に表裏用シートの１０ａ、１０ｂの切離し用罫線（図示せず）を形成して、切離し用罫線に沿って底部を切離してもよい。
【００２７】
本考案の罫線とは、シートの厚さ方向に所定深さの切込み（所謂ハーフカット）を入れ、または罫線の長さ方向に断続した切れ目を入れた所謂ミシン目やミシン目が非常に細かな所謂マイクロミシン目などを言う。その罫線に沿ってシートを切離すことができるものを「切離し用罫線」と称し、図１においては破線で示している。その罫線に沿ってシートを折曲げることができるものを「折曲げ用罫線」と称し、図１においては一点鎖線で示している。
【００２８】
表面用シート１０ａおよび裏面用シート１０ｂはそれらの両脇１１ａ、１１ｂをヒートシール、接着剤などにより互いに接合している。なお、上部の一辺は開いたままとして写真挿入口を形成している。このようにして、合成樹脂シート製の表裏面１０ａ、１０ｂからなり、一辺に写真挿入口を有するとともに残りの三辺が閉じられ四角形状をしたプリント写真収納袋が形成される。このプリント写真収納袋を適宜着色したり、表面に印刷を施してもよい。
【００２９】
なお、折曲げおよび切離し可能な罫線１２を具備した合成樹脂シート製の１枚のシートを用いる代わりに、表面用シート１０ａおよび裏面用シート１０ｂの２枚の合成樹脂シート製のシートを用いてもよい。この場合には、表面用シート１０ａおよび裏面用シート１０ｂの２枚のシートの底辺部分（写真挿入口に対向する辺）をヒートシール、接着剤などにより互いに接合するとともに、この接合した底辺部分（写真挿入口に対向する辺）に平行に切離し用罫線を形成し、写真立て組立て時に表面用シート１０ａおよび裏面用シート１０ｂの底辺部分を切離せるようにする。
【００３０】
写真挿入口側の表面用シート１０ａの頭部は、図１（ａ）に示すように、辺２０迄となっている。一方、写真挿入口側の裏面用シート１０ｂの頭部は、図１（ｂ）に示すように、表面用シート１０ａの頭部（辺）２０を越えてフラップ１８を具備している。写真挿入口側の裏面用シート１０ｂの表面用シート１０ａの頭部（辺）２０に対応する箇所に折曲げ用罫線１９が形成されており、折曲げ用罫線１９に沿ってフラップ１８を、図１（ａ）において手前側に（谷側に）、図１（ｂ）においては奥側の（山側に）、折曲げることによりフラップ１８により写真挿入口を覆うことができる。
【００３１】
図１（ａ）、（ｂ）に示すように、表面用シート１０ａおよび裏面用シート１０ｂに写真挿入口に沿ってそれぞれ切離し用罫線１５、１６が形成されており、写真挿入口の外側部分１７、１８を切離し用罫線１５、１６に沿って切離し可能としている。また、写真挿入口の外側部分１７の両脇２１ａ、２１ｂをヒートシール、接着剤などにより互いに接合している。
【００３２】
図１（ａ）に示すように、表面用シート１０ａの写真挿入口側の切離し用罫線１５の中心部から切離し用罫線１５に直交して切離し用罫線１３が形成されており、後述のように、写真挿入口の外側部分１７、１８を切離し用罫線１５、１６に沿って切離した後に、表面用シート１０ａを切離し用罫線１３に沿って切離すことができるようになっている。
【００３３】
一方、図１（ｂ）に示すように、裏面用シート１０ｂの写真挿入口側の切離し用罫線１６の中心部から切離し用罫線１６に直交して折曲げ用罫線１４が形成されており、後述のように、写真挿入口の外側部分１７、１８を切離し用罫線１５、１６に沿って切離した後に、裏面用シート１０ｂを折曲げ用罫線１４に沿って手前側に（谷側に）折曲げることができるようになっている。
【００３４】
図１（ａ）に示すように、表面用シート１０ａには、切離し用罫線１３により互いに切離された面部分を互いに係合させるための本考案に係る係合機構が形成されている。
【００３５】
本実施例の係合機構は、互いに切離される表面用シート１０ａの切離し用罫線１３の右側に形成された第１の係合部、および互いに切離される表面用シート１０ａの切離し用罫線１３の左側形成された第２の係合部からなる。第１の係合部は、第１の係合切込み部２５および第２の係合切込み部２６からなる。
【００３６】
なお、図１（ａ）においては、上側の第１の係合切込み部２５に符号を付すとともに、下側の第２の係合切込み部２６に符号を付して、見易くしている。
【００３７】
第１の係合切込み部２５は、その端部２５ｂ、２５ｂを連結する直線状の第１の仮想線２５ｃおよび第１の仮想線２５ｃの端部２５ｂ、２５ｂに連結し前記第１の仮想線２５ｃから外向きに突出した第１の凸状切込み２５ａからなる。第１実施例においては、第１の凸状切込み２５ａは半円状切込みからなる。
【００３８】
第１の凸状切込み２５ａは初めからすべて表面用シート１０ａに切込んで形成してもよい。しかし、第１の凸状切込み２５ａの一部を切込み、残部を切離し用罫線とし、または第１の凸状切込み２５ａの全部を切離し用罫線としておき、第１の凸状切込み２５ａと第２の係合部との係合に際して、切離し用罫線を切離して切込みを形成してもよい。このようにすると、係合前に第１の凸状切込み２５ａがヒラヒラすることがなく、好ましい。
【００３９】
なお、第１の係合切込み部２５の端部２５ｂ、２５ｂに、図１（ａ）に示すように、小孔を形成して、第１の凸状切込み２５ａが端部２５ｂ、２５ｂから千切れないようにしている。
【００４０】
第２の係合切込み部２６は、その端部２６ｂ、２６ｂを連結する直線状の第２の仮想線２６ｃおよび第２の仮想線２６ｃの端部２６ｂ、２６ｂに連結し前記第２の仮想線２６ｃから外向きに突出した第２の凸状切込み２６ａからなる。第１実施例においては、第２の凸状切込み２６ａは半円状切込みからなる。
【００４１】
第２の仮想線２６ｃは直線状の第１の仮想線２５ｃ上に位置しており、第１の凸状切込み２５ａと第２の凸状切込み２６ａとは第１および第２の仮想線２５ｃ、２６ｃに関して互いに逆の方向を向いており、第２の凸状切込み２６ａは第１の凸状切込み２６ａよりも小さい曲率半径となっている。
【００４２】
第２の係合部は、第１の仮想線２５ｃに平行する切込み２７からなるとともに、第１の凸状切込み部２５ａが通過できる長さを有している。第２の係合部を形成している切込み２７の上下の端部２７ａ、２７ａは、図１（ａ）に示すように、切込み２７に対して一方向に傾斜させて、後述のように第２の係合部２７への半円状切込み２５の挿入を容易に行えるようにすることが好ましい。上記実施例では切込み２７の上下の端部２７ａ、２７ａを一方向に傾斜させていたが、切込み２７に対して対称にＶ字状に両方向に傾斜させてもよい。
【００４３】
図１（ａ）に示すように、表面用シート１０ａには、中央部が切離し用罫線１３に平行し且つ写真立てに装着するべき写真の高さに対応した長さを有し、上下の両端部が鍵の手状に曲がった写真係止用の切離し罫線２２ａ、２２ｂが形成されており、写真係止用の切離し罫線２２ａ、２２ｂに写真の端部を挿入して装着可能としている。写真係止用の切離し罫線２２ａ、２２ｂの鍵の手状に曲がった上下の両端部は折曲げ用罫線２３ａ、２３ｂ、２３ｃ、２３ｄにつながっている。
【００４４】
次に、本考案のプリント写真収納袋を変化させて写真立てを作る手順を説明する。まず、図１（ａ）に示すように、本考案に係るプリント写真収納袋を表面用シート１０ａを表向きとして置き、プリント写真収納袋の表面用シート１０ａに形成された罫線（ミシン目）を次の手順で切離す。すなわち、
（１）写真挿入口の外側部分１７、１８を切離し用罫線１５、１６に沿って切離す。
（２）写真挿入口の外側部分１７、１８を切離し用罫線１５、１６に沿って切離した後に、表面用シート１０ａを切離し用罫線１３に沿って切離す。
（３）表面用シート１０ａの切離し用罫線１３側を持ち上げ、
（４）写真係止用の切離し罫線２２ａ、２２ｂに沿って表面用シート１０ａをシート片１０ａ１、１０ａ２（図３参照）に切離す。
【００４５】
ついで、切離し用罫線１３の両端部に連なる折曲げ用罫線２３ａ、２３ｂ、２３ｃ、２３ｄに沿って表面用シート１０ａのシート片１０ａ１、１０ａ２を外向きに折曲げる。
【００４６】
係合機構を係合させる。すなわち、切離し用罫線１３の両端部に連なり外向きに折曲げられている表面用シート１０ａを、折曲げ用罫線２３ａ、２３ｂ、２３ｃ、２３ｄに沿って内向きに折曲げて、図３（ｂ）、（ｃ）に示すように、右側のシート片１０ａ２を左側のシート片１０ａ１の上に置く。
【００４７】
ついで、図３（ｄ）、（ｅ）に示すように、右側のシート片１０ａ２に形成された第１の凸状切込み（半円状切込み）２５ａを左側のシート片１０ａ１に形成された第２の係合部２７に通す。
【００４８】
更に、図３（ｆ）、（ｇ）に示すように、右側のシート片１０ａ２に形成された第２の凸状切込み（半円状切込み）２６ａを左側のシート片１０ａ１に形成された第２の係合部２７に通す。
【００４９】
以上により、表面用シート１０ａの上下に位置した左右のシート片１０ａ１、１０ａ２は下側に位置した左側のシート片１０ａ１に形成された第２の係合部２７を通過した第１の半円状切込み２５ａおよび第２の半円状切込み２６により恰もリベット締めされたようにして連結されるので、第１の係合部および第２の係合部がしっかりと係合し、簡単に外れることがない。
【００５０】
図２に、以上の手順により写真立てに組立てた状態の本考案の第１実施例を示しており、（ａ）は平面図を示し、（ｂ）は正面図を示している。
【００５１】
図２（ｂ）に示すように、組立てた写真立ての写真係止用の切離し罫線２２ａ、２２ｂに写真３０挿入し、装着することにより、プリント写真３０を写真立てに飾ることができる。さらに、折曲げられた裏面用シート１０ｂの両面にも写真係止用切込みを設けてもよく、この場合には３枚の写真を飾ることができる。
【００５２】
また、写真３０に代えて広告文書などを係止用の切離し罫線２２ａ、２２ｂに装着して広告に用いることもできる。さらに、裏面用シート１０ｂにも広告文書係止用切込みを設けてもよく、この場合には３枚の広告文書を装着することができる。また、裏面用シート１０ｂに広告文書係止用切込みを設ける代わりに裏面用シート１０ｂに広告を直接印刷してもよい。
【００５３】
上述した実施例では第１の係合切込み部は、第１の仮想線２５ｃおよび第１の凸状切込み２５ａ全体として半円状形状とし、第２の係合切込み部は、第２の仮想線２６ｃおよび第２の凸状切込み２６ａ全体として半円状形状としていた。
【００５４】
しかし、図４（ａ）〜（ｃ）に示すように、第１の係合切込み部の第１の仮想線２５ｃおよび第１の凸状切込み２５ｃ全体として、三角形（図４（ａ）参照）、四角形（図４（ｂ）参照）または五角形（図４（ｃ）参照）などの多角形形状をしてもよい。
【００５５】
同様に、本考案の第２の係合切込み部は、第２の仮想線２６ｃおよび第２の凸状切込み２６ａ全体として、三角形（図４（ａ）参照）、四角形（図４（ｂ）参照）または五角形（図４（ｃ）参照）などの多角形形状をしてもよい。
【００５６】
なお、第１の凸状切込み２５ａと第２の凸状切込み２６ａとは必ずしも同じ形状でなくともよく、その組合せは任意に選定できる。
【００５７】
第１の係合切込み部および第２の係合切込み部を、このような形状とすることにより、第１の係合部の第１の凸状切込み２５ａおよび第２の凸状切込み２６ａを第２の係合部２７を越えて突出させることが一層容易に行える。特に、多角形形状の角部、就中、多角形形状の先端に位置する角部に小半径の円弧２５ｄ、２６ｄ、所謂Ｒを付けて丸味を持たせることにより、第１の係合部の第１の凸状切込みおよび第２の凸状切込みの第２の係合部への挿入を更に一層容易に行える。
【００５８】
また、第１、第２の仮想線２５ｃ、２６ｃの位置に折曲げ用罫線を形成して、第１および第２の凸状切込み２５ａ、２６ａの第２の係合部２７への挿入時に、切込み２５ａ、２６ａで囲まれた部分を係合部２７へ容易に挿入できるようにしてもよい。
【００５９】
また、上述の実施例においては、本考案の第１の係合部および前記第２の係合部を、それぞれ別体の合成樹脂シートに形成していた。この態様の実施例として、図５に示すように、商品見本、カレンダー、写真、絵画などの掲示物を掲示する際に掲示物５０を掲示物支持体５１に係合させる合成樹脂シートの係合機構に採用することもできる。
【００６０】
すなわち、掲示物５０から延在する合成樹脂シート製帯体５０ａに第１の係合部２５、２６を形成し、合成樹脂シート製掲示物支持体５１から突出した帯体５１ａに第２の係合部を形成し、第１の係合部２５、２６を第２の係合部２７に係合させて掲示物５０を掲示物支持体５１にしっかりと係合させる。
【００６１】
この場合の合成樹脂シートの係合機構２５〜２７は、図１〜図４に基き説明した実施例の係合機構と同様な構造とすることができる。また、掲示物支持体５１に第１の係合部２５、２６を形成し、掲示物５０から延在する合成樹脂シート製帯体５０ａに第２の係合部２７を形成してもよい。
【００６２】
さらに、本考案の第１の係合部および前記第２の係合部は、同じ合成樹脂シートに形成されていてもよい。この場合には、合成樹脂シートの第１の係合部が形成されている領域を丸めてまたは折曲げて第１の係合部および前記第２の係合部を係合させるようにする。
【００６３】
この態様の一つの実施例を図６に示す。この図６に示す実施例においては、商品見本、カレンダー、写真、絵画などの掲示物５０を掲示物支持体５１に掲示する際に、掲示物５０から延在する合成樹脂シート製帯体５０ａの先端部に第１の係合部２５、２６を形成し合成樹脂シート製帯体５０ａの掲示物５０の近傍側に第２の係合部２７を形成する。合成樹脂シート製帯体５０ａの先端部を金属棒または合成樹脂棒製の支持体５１の周りで折曲げて、合成樹脂シート製帯体５０ａの先端部の第１の係合部２５、２６を第２の係合部２７に係合させて掲示物５０を掲示物支持体５１に係止する。
【００６４】
この場合の合成樹脂シートの係合機構は、図１〜図４に基き説明した実施例と同様な構造とすることができる。
【００６５】
別の実施例を図７に示す。この図７に示す実施例においては、（ａ）に示すように、展開した一枚の合成樹脂シート６０の両端部６０ａ、６０ｂに、図１〜図４に基き説明した実施例と同様な構造を有する第１の係合部２５、２６および前記第２の係合部２７を形成している。合成樹脂シート６０の表面（図７（ａ）に示した面の裏面側）には広告文字や暦が印刷されている。広告文字や暦が印刷された表面を表側として、（ｂ）に示すように、合成樹脂シート６０を円筒状に丸め、第１の係合部２５、２６と第２の係合部２７とを互いに係合させて円筒状態を維持させる。このようにして、広告文字や暦が表面に印刷された円筒状の広告媒体が得られる。
【００６６】
この図７に示した実施例は、特許文献３に示される吊革などの広告システムにも使用することができる。前述のように、特許文献３においてはシート状の広告媒体の両端部を広告基体のスリットに挿入して固定していたので、シート状の広告媒体の両端部が、広告基体のスリットから抜けて外れることがあった。これに対して、図７（ａ）、（ｂ）に示す本実施例においては合成樹脂シート６０の両端部６０ａ、６０ｂを第１の係合部２５、２６と第２の係合部２７からなる本考案の係合機構によりしっかりと係合させるため、合成樹脂シート６０の両端部６０ａ、６０ｂの係合が簡単に外れたりすることがない。
【００６７】
上述した実施例においては、合成樹脂シートを円筒状に丸めていた。合成樹脂シートを三角形状、四角形状などの多角柱形状に折曲げてもよい。
【００６８】
図７（ｃ）、（ｄ）は、三角柱形状に折曲げた実施例を示す。この場合には、多角柱の角数に応じて合成樹脂シート６０の長手方向の複数箇所に、合成樹脂シートを幅方向に横切る折曲げ用罫線６０ｃを形成し、これらの折曲げ用罫線６０ｃに沿って合成樹脂シート６０を折曲げ、合成樹脂シート６０の両端部６０ａ、６０ｂの近傍に形成した第１の係合部２５、２６と第２の係合部２７とを互いに係合させて多角柱形状を維持させる。このようにして、広告文字や暦が表面に印刷された多角柱形状の広告媒体が得られる。
【００６９】
これらの場合の合成樹脂シートの係合機構は、図１〜図４に基き説明した実施例と同様な構造とすることができる。
【図面の簡単な説明】
【００７０】
【図１】本考案の第１実施例のプリント写真収納袋を示し、（ａ）はプリント写真収納袋の表面を示し、（ｂ）はプリント写真収納袋の裏面を示す。
【図２】本考案の第１実施例を写真立てに組立てた状態を示し、（ａ）は平面図を示し、（ｂ）は正面図を示す。
【図３】本考案の係合機構の近傍のみを示し、（ａ）、（ｂ）、（ｄ）、（ｆ）は係合手順を時系列的に示す平面図であり、（ｃ）、（ｅ）、（ｇ）はそれぞれ（ｂ）、（ｄ）、（ｆ）を水平方向に切断し上から見た断面図であり、シートの厚さは誇張して示している。
【図４】本考案の係合機構の第１、第２の係合部の第１の凸状切込みを多角形形状とした実施例を示し、（ａ）では三角形、（ｂ）では四角形、（ｃ）では五角形である。
【図５】第１の係合部および前記第２の係合部を別の合成樹脂シートに形成した本考案の係合機構を採用した商品見本、カレンダー、写真、絵画などの掲示物を掲示物支持体に掲示した状態を示す図である。
【図６】第１の係合部および前記第２の係合部を同じ合成樹脂シートに形成した本考案の係合機構を採用した、掲示物を掲示物支持体に掲示する際に使用する本考案の係合機構の実施例を示す。
【図７】第１の係合部および前記第２の係合部を同じ合成樹脂シートに形成し、広告文字や暦が表面に印刷された広告媒体に本考案の係合機構を採用した実施例を示し、（ａ）、（ｂ）では円筒状の広告媒体を形成しており、（ｃ）、（ｄ）では三角柱形状の広告媒体を形成している。
【符号の説明】
【００７１】
２５  第１の係合切込み部
２５ａ  第１の凸状切込み
２５ｂ  第１の係合切込み部の端部
２５ｃ  第１の仮想線
２６  第２の係合切込み部
２６ａ  第２の凸状切込み
２６ｂ  第２の係合切込み部の端部
２６ｃ  第２の仮想線
２７  第２の係合部
５０  掲示物
５１  掲示物支持体
６０  合成樹脂シート
６０ａ、６０ｂ  合成樹脂シートの端部
６０ｃ  折曲げ用罫線
【図１】
0003148037.tif 000003
【図２】
0003148037.tif 000004
【図３】
0003148037.tif 000005
【図４】
0003148037.tif 000006
【図５】
0003148037.tif 000007
【図６】
0003148037.tif 000008
【図７】
0003148037.tif 000009